(57)【要約】    【課題】  吸引する対象の液体よりも密度が大きく、吸引対象となり得る大きさの固形分液中を吸引により除去することを可能とした清掃装置を提供すること。    【解決手段】  液体中の固形分を除去するための清掃装置において、一端に底面を有するシリンダと、前記シリンダの内部を軸方向に往復摺動するピストンと、前記シリンダの一端側に設けられた吸引口及び吐出口と、前記吸引口及び吐出口にそれぞれ接続された吸引管及び吐出管と、前記ピストンが前記シリンダの一端から他端に向けて摺動する際に、液体を前記吸引管から前記シリンダ内部へ流入させるように開く吸引側逆止弁と、前記ピストンが前記シリンダの他端から一端に向けて摺動する際に、液体を前記シリンダ内部から前記吐出管へ流出させるように開く吐出側逆止弁とを備えさせるとともに、前記吸引側逆止弁を前記吸引管の内部に設けた。【選択図】    図２
2005118291.tif 000002
【特許請求の範囲】
【請求項１】
液体中の固形分を除去するための清掃装置であって、
一端に底面を有するシリンダと、
前記シリンダの内部を軸方向に往復摺動するピストンと、
前記シリンダの一端側に設けられた吸引口及び吐出口と、
前記吸引口及び吐出口にそれぞれ接続された吸引管及び吐出管と、
前記ピストンが前記シリンダの一端から他端に向けて摺動する際に、液体を前記吸引管から前記シリンダ内部へ流入させるように開く吸引側逆止弁と、
前記ピストンが前記シリンダの他端から一端に向けて摺動する際に、液体を前記シリンダ内部から前記吐出管へ流出させるように開く吐出側逆止弁とを備えており、
前記吸引側逆止弁が、前記吸引管の内部に設けられていることを特徴とする清掃装置。
【請求項２】
前記吸引側逆止弁が、前記吸引管の先端から、該吸引管の長さの３分の１から３分の２の間に設けられていることを特徴とする請求項１に記載の清掃装置。
【請求項３】
前記吸引側逆止弁が、前記吸引管の内部に複数設けられていることを特徴とする請求項１または２に記載の清掃装置。
【請求項４】
前記吸引口及び吐出口が、前記シリンダの底面に設けられていることを特徴とする請求項１から３のいずれかに記載の清掃装置。
【請求項５】
前記シリンダが、前記ピストンが摺動する摺動部と、前記吸引口及び吐出口を含む貯留部とを備え、前記摺動部及び貯留部は軸方向に連結されており、前記貯留部の断面積が、前記摺動部の断面積よりも大であることを特徴とする請求項１から４のいずれかに記載の清掃装置。
【請求項６】
前記シリンダの側面に把持部が設けられており、前記把持部が最上部にある状態で、前記吐出口が前記吸引口よりも下方に位置するように構成されていることを特徴とする請求項１から５のいずれかに記載の清掃装置。
【発明の詳細な説明】
【技術分野】
【０００１】
本発明は、浴室やプール、温泉、一般家庭の台所やレストラン等の排水水回り等において、水中に存在する固形分を吸引によって除去するための清掃装置に関する。
【背景技術】
【０００２】
浴室やプール等では、その使用に伴って、汚物や吐瀉物、小石、砂、落葉といった固形分が水中に含まれることがある。このような固形分を取り除く清掃を手作業で効率的に行うことは困難である上、非衛生的である。また、このような現場においては、大がかりな装置を用いて清掃を行うとコストが高くなりすぎ、また、水をそっくり入替えると水代、人件費等多くの費用が発生する。
【０００３】
このため、特許文献１に記載のような、水中の固形分を吸引によって除去するための清掃器具が知られている。
【０００４】
前記清掃器具５０は、図７に示すように、シリンダ５１の内部を軸方向に往復摺動するピストン５２と、ピストン５２を摺動方向に移動させるためのロッド５３及びハンドル５４を備えている。シリンダ５１の先端５１ａには吸引口６１が設けられており、吸引口６１には着脱自在に吸引ホース６２が接続されている。シリンダ５１の側面には吐出口７１が設けられ、排水ホース７２の一端が同じく着脱自在に接続されている。吸引口６１及び吐出口７１は、シリンダ５１内において、外部の液体を吸引する方向にピストン５２を摺動させた時にのみ開く逆止弁６３と、該吸引によりシリンダ５１内に貯留された液体を吐出する方向にピストン５２を摺動させた時にのみ開く逆止弁７３とを備えている。また、排水ホース７２の他端は、吐出した液体から固形分のみを捕集する濾過装置５５に接続されている。
【０００５】
このような清掃器具５０の使用方法としては、吸引ホース６２の先端を清掃する対象の液中に浸し、この液をシリンダ５１の内部に吸引するようにピストン５２をシリンダ５１の先端５１ａから遠ざかるように摺動させる。このような摺動動作によって、逆止弁６３が開き、固形分を含んだ液が一定量シリンダ５１の内部に貯留される。その後、ピストン５２をシリンダ５１の先端５１ａに近づくように摺動することで、吸引側の逆止弁６３が閉じる代わりに吐出側の逆止弁７３が開き、シリンダ５１内に貯留した液が吐出口７１に向かって押し出され、吐出される。吐出された液に含まれる固形分は、濾過部５５において捕集される。
【特許文献１】実開平５−４０３７８号公報
【発明の開示】
【発明が解決しようとする課題】
【０００６】
しかしながら、このような構成の清掃器具においては、吸引する固形分が大量であったり、重いものである場合に、シリンダ内部にまで吸引されない場合がある。したがって、このような清掃具では、清掃対象の液中に含まれる固形分を確実に捕集することができない。
【０００７】
本発明は、このような問題を解決するためになされたものであり、液中に含まれる固形分を確実に捕集し、液中から除去することを可能とした清掃装置を提供することを目的とする。
【課題を解決するための手段】
【０００８】
本発明は、上記目的を達成するために、液体中の固形分を除去するための清掃装置であって、一端に底面を有するシリンダと、前記シリンダの内部を軸方向に往復摺動するピストンと、前記シリンダの一端側に設けられた吸引口及び吐出口と、前記吸引口及び吐出口にそれぞれ接続された吸引管及び吐出管と、前記ピストンが前記シリンダの一端から他端に向けて摺動する際に、液体を前記吸引管から前記シリンダ内部へ流入させるように開く吸引側逆止弁と、前記ピストンが前記シリンダの他端から一端に向けて摺動する際に、液体を前記シリンダ内部から前記吐出管へ流出させるように開く吐出口逆止弁とを備えており、前記吸引側逆止弁が、前記吸引管の内部に設けられていることを特徴とする清掃装置を提供する。
【発明の効果】
【０００９】
本発明の清掃装置によれば、吸引管の内部に吸引側逆止弁を設けているため、液中に含まれる固形分を吸引した際に、シリンダ内部に流入するに至らなかった固形分を前記吸引側逆止弁の位置に保留することができる。従って、２回目以降のピストンの摺動による吸引で、確実にシリンダ内部に流入させ、シリンダ内部から排出して捕集することが可能になる。
【発明を実施するための最良の形態】
【００１０】
以下、本発明の実施形態について添付図面を参照しつつ説明する。なお説明に用いる図面においては、同一又は同種の部分に同じ番号を付して説明を省略することがある。
【００１１】
図１は、本発明に係る清掃装置の全体を示す斜視図である。清掃装置１は、一端に底面２ａを有するシリンダ２と、該シリンダ２の内部を軸方向に往復摺動するピストン３とを備えている。ピストン３は、シリンダ２内の摺動部２１を摺動するピストン本体３ａ、該ピストン本体の背面に一端を固定されたピストンロッド３ｂ、及び該ピストンロッド３ｂの他端に設けられたハンドル３ｃを備えている。また、前記シリンダ２の一端側には、吸引した液体を貯留するための貯留部２２が形成されており、底面２ａには前記貯留部２２と外部とを導通する吸引口４及び吐出口５がそれぞれ設けられている。
【００１２】
前記吸引口４及び吐出口５には、それぞれ吸引管１４及び吐出管１５が螺合等により着脱可能に接続される。吸引管１４はその先端において、吸引するエリアを広くするための吸引ヘッド１４ａを備える一方、吐出管１５の先端には、吐出した液体に含まれる固形分を捕集する濾過器１５ａが備えられている。
【００１３】
図２は、図１に示す清掃装置１の内部を示す縦断面図である。図２から明らかなように、前記吸引管１４の内部には、ピストン３が前記シリンダ２の一端から他端に向けて摺動する際に、吸引管１４を介して外部の液体をシリンダ内部の貯留部２２に流入させるように開く吸引側逆止弁２４を備えている。また、吸引口４においても同様の吸引口逆止弁３４が設けられており、貯留部２２に流入した液体が吸引管１４に逆流しないように作用している。
【００１４】
また、吐出口５には、ピストン３が前記シリンダの他端から一端に向けて摺動することで、貯留部２２に貯留した液体を貯留部２２から前記吐出管１５へ流出する向きに開く吐出側逆止弁３５が備えられている。前記吐出側逆止弁３５は、ピストン３が吸引するように摺動する際に吐出管１５を閉じ、吐出管１５から液体を吸引しないようにしている。
【００１５】
このように構成された清掃装置１は、固形分を含む液体を吸引管１４を介してシリンダ２の内部に流入し、吐出管を介してシリンダ２の内部から流出することで、前記固形分を捕集し、前記液体を清掃することができる。すなわち、液体を吸引するピストン３の摺動（以下、吸引摺動という）によって、吸引ヘッド１４ａより清掃対象の固形分を含む液体を吸引し、貯留部２２内に流入させて貯留する。その後、貯留した液体を吐出するピストン３の摺動（以下、吐出摺動という）によって、貯留部２２に貯留した液体は、吐出口５に接続された吐出管１５を介して外部に吐出される。吐出された液体は、濾過器１５ａの内部で固形分が捕集された後、還元される。
【００１６】
このような清掃装置を用いて清掃作業を行う際に、清掃対象の液体中に固形分が大量に含まれていたり、比重が大きいものである場合は、一度の吸引ではシリンダ２の内部の貯留部２２まで前記固形分を吸引できない場合がある。このような場合について、図３を参照しつつ説明する。図３（Ａ）は、固形分Ｐ1，Ｐ2，Ｑ1，Ｑ2がピストン３の吸引摺動によって、吸引ヘッド１４ａからシリンダ２の内部に向かって引き込まれる様子を示している。ここでは、固形分Ｐ1，Ｐ2がシリンダ２内の貯留部２２に流入し、固形分Ｑ1，Ｑ2が吸引によって吸引管１４内には達するが、貯留部２２に流入するまでは至らないとする。このような状態で、ピストン３の一回目の吸引摺動を終了し、吐出摺動を行って貯留部２２に貯留する液体を吐出口１５に向けて吐出する。これによって、固形分Ｐ1，Ｐ2は吐出管１５を介して貯留部２２から流出し、濾過器１５ａにおいて捕集される。一方、固形分Ｑ1，Ｑ2は吸引管１４の吸引側逆止弁２４において吸引管１４を逆流するのを妨げられ、吸引側逆止弁２４の上方で保留される。（図３（Ｂ）参照）
【００１７】
次に、ピストン３が２回目の吸引摺動を行うと、吸引側逆止弁２４の位置で保留されていた固形分Ｑ1，Ｑ2は再び吸い上げられ、貯留部２２内に流入される（図３（Ｃ））。その後、ピストン３の２回目の吐出摺動によって貯留部２２の外部に吐出管１５を介して流出され、捕集器１５ａにおいて捕集される。（図３（Ｄ））
【００１８】
このように、１回の吸引によって貯留部２２に達しなかった固形分についても、吸引管１４の内部に吸引側逆止弁２４を設けることによって、吸引側逆止弁２４の位置で一時的に保留させることができる。そのため、次の吸引によって前記固形分を確実にシリンダ２の内部にまで流入させることが可能になる。吸引管１４の内部に設けられる吸引側逆止弁２４の位置は、吸引管１４の径やシリンダ２の太さ、貯留部２２の容量等に依存するが、図４（Ａ）に示すように、吸引管１４の先端から、吸引管１４の長さＬの３分の１から３分の２の間に設けられることが好ましい。
【００１９】
吸引管１４に設けられる逆止弁２４の数は図４（Ｂ）に示すように複数であってもよい。このようにすると、吸引管１４内部で固形分を保留する位置を多段階に形成することができるので、吸引管１４の先端から固形分が逆流するのを防止することができると共に、貯留部２２までの吸引を確実にすることができる。
【００２０】
次に、本発明の第二の実施形態について、図５を参照しつつ説明する。図５に示す清掃装置１’は、シリンダ２内を壁２３ａによって摺動部２１と貯留部２２とに区切り、前記摺動部２１及び貯留部２２を軸方向に連結するように形成している。また、貯留部２２の断面は、摺動部２１の断面に比して大きくなるように形成され、前記摺動部２１及び貯留部２２は、連通孔２３ｂを介して連通している。ピストン３は、吐出する動作において、連通孔２３ｂを形成する隔離壁２３ａに衝止するまで摺動部２１内を摺動する。
【００２１】
また、本実施形態においては、シリンダ２の底面２ａを分離可能に構成している。底面２ａとシリンダ２の側面２ｂとの隙間から液の漏れを起こさない密封状態とするために、底面２ａと側面２ｂとはＯリング（図示せず）を介し、止め具７を用いて固着されている。
【００２２】
清掃装置１’をこのように構成することで、貯留部２２の軸方向における長さをある程度短くしても、貯留部２２内に貯留できる液体の量を十分に確保することができるので、清掃装置１’を小型化することができる。また、摺動部２１の断面積を過度に大きくした場合、ピストンを摺動させるのに必要な力が大きくなりすぎるが、摺動部２１の断面積を小さくすることによって、過度に強い力を必要とせずにピストン３を摺動することができる。また、底面２ａがシリンダ２から分離可能に構成されているため、貯留部２２の内部に固形分が貼りついた場合に貯留部２２の内部を掃除することができる。
【００２３】
次に、本発明に係る第三の実施形態を図６に示す。図６に示す清掃装置１０は、シリンダ２の側面２ｂに把持部４０が設けられている。該把持部４０を掴んで清掃装置１０を持ち上げた場合、該清掃装置１０はその軸方向が水平になる。清掃装置１０は、このように軸方向が水平となった状態で、吐出口５が吸引口４よりも下方に位置するように構成されている。このように構成することで、貯留部２２に流入した固形分が吐出口５より流出し易くなる。
【００２４】
また、前記把持部４０は、取手等の握り部に限定されるものではなく、清掃装置１０を肩から下げて使用可能にするような、シリンダ２に固定されたベルト等であってもよい。このような実施形態の場合、老人や女性等の比較的力の弱い人であっても、前記清掃装置を比較的楽に使用することができる。
【００２５】
なお、本発明に係る清掃装置において、吸引管をプラスチックまたは金属等の剛性を有する直筒で構成すると、水中での抵抗を受けても比較的楽に吸引管を操作することができるため、プールや温泉等における使用に好適である。また吐出管については、可撓性のチューブ等で構成し、濾過器の位置をある程度自由に配置可能にすることで、固形分を捕集した後の液体を還元し易くすることが好ましい。
【図面の簡単な説明】
【００２６】
【図１】本発明に係る清掃装置の外観を示す全体斜視図である。
【図２】図１に示す清掃装置の内部を示す縦断面図である。
【図３】図２に示す清掃装置が重固形分を吸引し、吐出する過程を示す図である。
【図４】図１に示す清掃装置において、吸引側逆止弁を取り付ける位置を詳細に示す縦断面図である。
【図５】本発明に係る清掃装置の第二の実施形態を示す縦断面図である。
【図６】本発明に係る清掃装置の第三の実施形態の外観を示す全体斜視図である。
【図７】従来の清掃器具を示す縦断面図である。
【符号の説明】
【００２７】
１，１’，１０  ・・・  清掃装置
２  ・・・  シリンダ
２ａ  ・・・  底面
３  ・・・  ピストン
４  ・・・  吸引口
５  ・・・  吐出口
１４  ・・・  吸引管
１５  ・・・  吐出管
２１  ・・・  摺動部
２２  ・・・  貯留部
２４  ・・・  吸引側逆止弁
３４  ・・・  吸引口逆止弁
３５  ・・・  吐出側逆止弁
４０  ・・・  把持部
【図１】
2005118291.tif 000003
【図２】
2005118291.tif 000004
【図３】
2005118291.tif 000005
【図４】
2005118291.tif 000006
【図５】
2005118291.tif 000007
【図６】
2005118291.tif 000008
【図７】
2005118291.tif 000009